(57)【特許請求の範囲】
【請求項１】
端子台本体に、電流が入力される入力端子と、電流を回路遮断器へ出力する出力部とを設けてなる端子台であって、
前記端子台本体に、前記出力部とは別個に迂回用出力端子を設ける一方、一端が前記回路遮断器とは別の機器に接続される迂回用入力端子であり、他端が前記出力部を構成する接続バーを保持台に保持させて接続ユニットを形成するとともに、該接続ユニットを前記端子台本体に対して着脱自在としており、
前記接続ユニットを前記端子台本体に取り付けるとともに、前記入力端子と前記迂回用出力端子とを直結する第１端子金具を前記端子台本体に取り付けることにより、前記入力端子を介して入力された電流が前記迂回用出力端子から出力され、前記機器を通った後に前記迂回用入力端子から前記出力部を介して前記回路遮断器へ出力される迂回用端子台として機能する一方、
前記接続ユニット及び前記第１端子金具を取り外した前記端子台本体に対して、一端が前記入力端子に接続され、他端が前記出力部を構成する第２端子金具を取り付けることにより、前記入力端子を介して入力された電流が他の機器を介することなく前記出力部から前記回路遮断器へ出力される直結用端子台として機能することを特徴とする端子台。
【請求項２】
前記端子台本体と前記接続ユニットとが、何れか一方に設けられた係止部と何れか他方に設けられた被係止部との係止により取り付けられることを特徴とする請求項１に記載の端子台。
【発明の詳細な説明】
【技術分野】
【０００１】
本発明は、分電盤内等において回路遮断器と接続される端子台に関するものである。
【背景技術】
【０００２】
従来、特に分電盤内において回路遮断器である主幹ブレーカに隣接して、主幹ブレーカと商用電源とを電気的に接続するための端子台を設置することがある。この端子台としては、たとえば特許文献１や特許文献２に開示されているようなものが知られている。そして、商用電源と主幹ブレーカとの間に電流制限器等を介在させる場合には特許文献１に示す端子台を設置する一方、電流制限器等を介在させない場合には特許文献２に示す端子台を設置して対応していた。
【先行技術文献】
【特許文献】
【０００３】
【特許文献１】特開２００９−２１９２９２号公報
【特許文献２】特開２００９−２１９２９３号公報
【発明の概要】
【発明が解決しようとする課題】
【０００４】
しかしながら、従来では、電流制限器等を介在させていない状態から改めて電流制限器等を介在させようとする（又は、その逆に既設の電流制限器等を取り外したい）場合、端子台全体を交換する必要があり、交換作業が非常に煩わしかった。
【０００５】
そこで、本発明は、上記問題に鑑みなされたものであって、商用電源と主幹ブレーカとの間に設置されていた電流制限器等を取り外す等、回路を変更したい際に端子台全体を交換することなく対応可能な端子台を提供しようとするものである。
【課題を解決するための手段】
【０００６】
上記目的を達成するために、本発明のうち請求項１に記載の発明は、端子台本体に、電流が入力される入力端子と、電流を回路遮断器へ出力する出力部とを設けてなる端子台であって、前記端子台本体に、前記出力部とは別個に迂回用出力端子を設ける一方、一端が前記回路遮断器とは別の機器に接続される迂回用入力端子であり、他端が前記出力部を構成する接続バーを保持台に保持させて接続ユニットを形成するとともに、該接続ユニットを前記端子台本体に対して着脱自在としており、前記接続ユニットを前記端子台本体に取り付けるとともに、前記入力端子と前記迂回用出力端子とを直結する第１端子金具を前記端子台本体に取り付けることにより、前記入力端子を介して入力された電流が前記迂回用出力端子から出力され、前記機器を通った後に前記迂回用入力端子から前記出力部を介して前記回路遮断器へ出力される迂回用端子台として機能する一方、前記接続ユニット及び前記第１端子金具を取り外した前記端子台本体に対して、一端が前記入力端子に接続され、他端が前記出力部を構成する第２端子金具を取り付けることにより、前記入力端子を介して入力された電流が他の機器を介することなく前記出力部から前記回路遮断器へ出力される直結用端子台として機能することを特徴とする。
請求項２に記載の発明は、請求項１に記載の発明において、前記端子台本体と前記接続ユニットとが、何れか一方に設けられた係止部と何れか他方に設けられた被係止部との係止により取り付けられることを特徴とする。
【発明の効果】
【０００７】
本発明によれば、接続ユニットの着脱、及び端子金具の交換のみにて迂回用端子台から直結用端子台へ、そして直結用端子台から迂回用端子台へ変更することができる。したがって、一々端子台全体を交換する必要がなく、変更作業を非常に容易に行うことができる。
また、請求項２に記載の発明によれば、係止部と被係止部との係止により接続ユニットを端子台本体へ取り付けているため、接続ユニットの着脱に関しては何ら工具等を必要とせず、変更作業の一層の容易化を実現することができる。
【図面の簡単な説明】
【０００８】
【図１】迂回用端子台を示した斜視説明図である。
【図２】接続ユニットを取り外した状態にある端子台本体を示した斜視説明図である。
【図３】図２の状態にある端子台本体を前方から示した説明図である。
【図４】図２の状態にある端子台本体を上方から示した説明図である。
【図５】接続ユニットを示した斜視説明図である。
【図６】接続ユニットを前方から示した説明図
【図７】接続ユニットを上方から示した説明図である。
【図８】直結用端子台を示した斜視説明図である。
【図９】直結用端子台を前方から示した説明図である。
【図１０】迂回用端子台の設置状態を示した説明図である。
【図１１】迂回用端子台から直結用端子台へと変更する様子を示した説明図である。
【図１２】迂回用端子台から直結用端子台へと変更する様子を示した説明図である。
【図１３】迂回用端子台から直結用端子台へと変更する様子を示した説明図である。
【図１４】直結用端子台の設置状態を示した説明図である。
【発明を実施するための形態】
【０００９】
以下、本発明の一実施形態となる端子台について、図面にもとづき詳細に説明する。
【００１０】
まず、電源と回路遮断器との間に電流制限器等の別途電気機器を介在させる際に用いる迂回用端子台１Ａについて、図１〜７をもとに説明する。図１は、迂回用端子台１Ａを示した斜視説明図である。図２は、接続ユニット３を取り外した状態にある端子台本体２を示した斜視説明図であり、図３は、図２の状態にある端子台本体２を前方から示した説明図、図４は、図２の状態にある端子台本体２を上方から示した説明図である。また、図５は、接続ユニット３を示した斜視説明図であり、図６は、接続ユニット３を前方から示した説明図、図７は、接続ユニット３を上方から示した説明図である。
尚、本実施形態における上下左右及び前後は、回路遮断器に隣接して設置する際の設置姿勢を基準として定めている（すなわち、図３や図６、図９の上下方向を、そのまま端子台の上下方向とし、図４や図７の上下方向が端子台の前後方向となる）。
【００１１】
迂回用端子台１Ａは、合成樹脂製の端子台本体２と、端子台本体２に係着可能な接続ユニット３と、端子台本体２にネジ止めされ、迂回用端子台１Ａとして使用する際に入力端子Ｐ及び迂回用出力端子Ｌを構成する短端子金具４、４・・とからなる。端子台本体２は、その略中央に３つの端子金具収納部１２、１２、１２を左右方向へ並設してなり、端子金具収納部１２、１２同士を上下方向へ延びる壁部１１、１１・・により区切っている。また、各端子金具収納部１２の上端部には、商用電源と主幹ブレーカ（図１０に示す）との間に介在させる電流制限器（図示せず）へ電流を出力する迂回用出力端子Ｌが形成されている一方、各端子金具収納部１２の下端部には、迂回用出力端子Ｌの形成部よりも前方へ突出した段部が設けられており、該段部の前面に、商用電源と接続されて電流が入力される入力端子Ｐが形成されている。さらに、各端子金具収納部１２内には、収納されてネジ止めされる端子金具の浮き上がりを防止するための押し止め片１５、１５が設けられている。尚、１３は、入力端子Ｐを構成する入力端子ネジであり、１４は、迂回用出力端子Ｌを構成する出力端子ネジである。
【００１２】
また、端子台本体２の下部、すなわち端子金具収納部１２、１２・・の下方には、後方へ凹んだ収納凹部１６が設けられており、該収納凹部１６内には、電気温水器の回路に接続される電気温水器用ブレーカ７２（図１０に示す）へ電流を出力するための一次送りバー１７、１７が収納されている。各一次送りバー１７の下端部は、電気温水器用ブレーカ７２への出力部として端子台本体２の左下隅部に露出している一方、その上端部は、入力端子Ｐに接続されている。
【００１３】
さらに、端子台本体２の左部、すなわち端子金具収納部１２の左方には、接続ユニット３を着脱自在に取り付けるための取付部１８が設けられている。該取付部１８は、最も左側にある壁部１１と、該壁部１１よりも更に左方位置に設けられた前方へ突出する案内突起１９と、上記壁部１１よりも下方で、収納凹部１６の左方位置に設けられた前方へ突出する支持突起２０と、支持突起２０に隣接して設けられた前方へ突出する係止爪２１と、上記壁部１１の上部左側面に設けられた係止テーパ部２２とからなる。案内突起１９は、最も左側にある壁部１１から左方へ所定の距離（本実施形態では１．５ｃｍ）だけ離して立設されており、その前面には接続ユニット３の一部を支持する支持段部が形成されている。また、支持突起２０は、同じ壁部１１から下方へ所定の距離（本実施形態では１．５ｃｍ）だけ離して立設されており、その上面で接続ユニット３の下面を支持するようになっている。さらに、係止爪２１は、支持突起２０の左方に隣接して立設されており、その先端の右側面に右方へ突出する矢尻状の爪部が形成されている。加えて、係止テーパ部２２は、上述したように壁部１１の上部左側面において、後方へ向かって徐々に隆起するように形成された傾斜部であり、該傾斜部の後面段部が係止面となる。
【００１４】
一方、接続ユニット３は、正面視略Ｌ字状に折り曲げられた３つの接続バー２５、２５、２５と、該接続バー２５、２５・・を保持する合成樹脂製の保持台２６とからなる。各接続バー２５は、帯状に成形された金属板を折り曲げてなるものであり、上方側の端部は、左側へ折り曲げられて電流制限器に接続され電流が入力される迂回用入力端子Ｓを構成している一方、下方側の端部は、主幹ブレーカ７１へ電流を出力する出力部Ｔを構成している。さらに、各接続バー２５の下方側の端部は、前後方向へ折り曲げられており、３つの接続バー２５、２５・・の前後方向での位置が揃えられている。また、保持台２６は、上記取付部１８内（すなわち、案内突起１９、支持突起２０、及び最も左側の壁部１１により囲まれる空間内）に収納可能な大きさに形成されたフレーム部材であって、３つの接続バー２５、２５・・を前後方向に非接触で重ねて保持している。さらに、保持台２６の後面部の上部には、係止テーパ部２２に係止可能な係止突起２７が右方へ突設されている。そして、該接続ユニット３を取付部１８に収納させて係止突起２７を係止テーパ部２２に係止させると、保持台２６の前面部に係止爪２１の爪部が係止し、接続ユニット３は端子台本体２に取り付けられることになる。また、該取付状態において、接続ユニット３の左側に位置する迂回用入力端子Ｓ、Ｓ・・は、案内突起１９の上方や前面、案内突起１９と支持突起２０との間に位置する一方、接続ユニット３の下部において右側へ延びる出力部Ｔ側の部分は、壁部１１と支持突起２０との間を介して取付部１８から右方へ突出し、収納凹部１６の前方に位置することになる。尚、２８は、迂回用入力端子Ｓを構成する迂回用入力端子ネジであり、２９は、出力部Ｔを構成するネジ孔である。
【００１５】
また、短端子金具４は、図１２に示すように、端子金具収納部１２内へ収納可能な左右幅を有する帯状の金属板を前後方向に折り曲げ、下部が上部よりも前方へせり出すように成形してなる。そして、該短端子金具４の上部には、迂回用入力端子ネジ１４を挿通可能なネジ孔４１が、短端子金具４の下部には、入力端子ネジ１３を挿通可能なネジ孔４２が夫々穿設されている。
【００１６】
そして、迂回用端子台１Ａは、上記端子台本体２の各端子金具収納部１２内にそれぞれ短端子金具４を収納し、入力端子ネジ１３及び迂回用出力端子ネジ１４によりネジ止めするとともに、接続ユニット３を端子台本体２の前方側から取付部１８内へ収納し、係止突起２７と係止テーパ部２２とを係止させ、係止爪２１を保持台２６の前面部に係止させて取り付けることによって組み立てられる。
【００１７】
次に、電源と回路遮断器との間に電流制限器等を介在させない際に用いる直結用端子台１Ｂについて、図８及び図９をもとに説明する。図８は、直結用端子台１Ｂを示した斜視説明図であり、図９は、直結用端子台１Ｂを前方から示した説明図である。
【００１８】
直結用端子台１Ｂは、上記迂回用端子台１Ａで使用する端子台本体２と、該端子台本体２にネジ止めされ、直結用端子台１Ｂとして使用する際に入力端子Ｐ及び出力部Ｔを構成する長端子金具５、５・・（図１３に示す）とからなる。各長端子金具５は、短端子金具４と同形状とされた上部５ａと、該上部から下方へ延設された接続部５ｂとを有する上下方向に長い金属板であって、上部５ａには、迂回用出力端子ネジ１４を挿通可能なネジ孔５１と、入力端子ネジ１３を挿通可能なネジ孔５２とが設けられており、接続部５ｂには、出力部Ｔを構成するネジ孔５３が穿設されている。尚、長端子金具５の上下方向長さは、端子台本体２へ後述するように取り付けた際、長端子金具５の下部が端子台本体２よりも下方へ十分に突出する長さとされている。
【００１９】
そして、直結用端子台１Ｂは、接続ユニット３及び短端子金具４が共に外された状態にある上記端子台本体２に対して、各端子金具収納部１２内に長端子金具５の上部５ａを収納し、入力端子ネジ１３及び迂回用出力端子ネジ１４によりネジ止めすることによって組み立てられる。
【００２０】
以上のように構成される端子台において、電流制限器の設置変更に伴う迂回用端子台１Ａから直結用端子台１Ｂへの変更について、図１０〜１４をもとに説明する。
まず、電流制限器を介在させる際には、端子台は上述の如き迂回用端子台１として組み立て、図示しない分電盤内において主幹ブレーカ７１の上方に隣接させ、接続ユニット３の出力部Ｔを主幹ブレーカ７１の入力端子に接続させて使用する（図１０）。したがって、商用電源から引き込まれる電流は、入力端子Ｐから迂回用出力端子Ｌを介して図示しない電流制限器へ送られ、電流制限器内を通った後、接続ユニット３の迂回用入力端子Ｓから出力部Ｔを介して主幹ブレーカ７１へ送られることになる。尚、７２は、電気温水器用ブレーカであって、端子台本体２に取り付けられた一次送りバー１７、１７に接続されている。
【００２１】
上記の状態から電流制限器を介在させずに使用すべく端子台の構成を変更するに際しては、まず、係止テーパ部２２と係止突起２７との係止、及び係止爪２１の保持台２６への係止を夫々解除し、接続ユニット３を端子台本体２から取り外す（図１１）。次に、入力端子ネジ１３及び迂回用出力端子ネジ１４を外して、短端子金具４、４・・を端子台本体２から取り外す（図１２）。尚、接続ユニット３と端子台本体２との係止状態の解除に関しては、係止爪２１を弾性変形させる等して行う。また、接続ユニット３と主幹ブレーカ７１との接続（ネジ止め）については、接続ユニット３の取り外し前に解除する。
【００２２】
その後、長端子金具５、５・・を準備して（図１３）、入力端子ネジ１３及び迂回用出力端子ネジ１４を用いて長端子金具５、５・・を端子台本体２にネジ止めし、端子台を直結用端子台１Ｂとして出力部Ｔを主幹ブレーカ７１の入力端子に接続すれば（図１４）、変更作業は完了となる。そして、直結用端子台１Ｂとしている際、商用電源から引き込まれる電流は、入力端子Ｐからそのまま出力部Ｔを介して主幹ブレーカ７１へ送られることになる。尚、直結用端子台１Ｂとして使用する際、基本的に迂回用出力端子Ｌは使用しないものの、たとえば時間帯別電灯契約回路用ブレーカ等の他のブレーカを接続したい場合には、該迂回用出力端子Ｌに接続することができる。また、直結用端子台１Ｂから迂回用端子台１Ａへと変更したい場合には、上記の逆の手順にて行うことができる。すなわち、長端子金具５、５・・を端子台本体２から取り外した後、短端子金具４、４・・をネジ止めするとともに、接続ユニット３を取付部１８へ取り付ければよい。
【００２３】
以上のような構成を有する端子台によれば、電流制限器と主幹ブレーカ７１とを電気的に接続するための接続バー２５、２５・・を端子台本体２に対して着脱自在な保持台２６に保持させ、接続ユニット３として端子台本体２とは別体成形しているため、接続ユニット３の着脱、及び端子金具の交換のみにて迂回用端子台１Ａから直結用端子台１Ｂへ、そして直結用端子台１Ｂから迂回用端子台１へ変更することができる。したがって、一々端子台全体を交換する必要がなく、変更作業を非常に容易に行うことができる。
【００２４】
また、端子台本体２に、接続ユニット３の前面部に係止する係止爪２１と、係止テーパ部２２とを設けるとともに、接続ユニット３に係止テーパ部２２に係止可能な係止突起２７を設けており、係止爪２１の保持台２６表面への係止や係止テーパ部２２と係止突起２７との係止により、接続ユニット３は端子台本体２に取り付けられる。したがって、接続ユニット３の着脱作業に関しては何ら工具等を必要とせず、変更作業の一層の容易化を実現することができる。
【００２５】
なお、本発明に係る端子台は、上記実施形態の態様に何ら限定されるものではなく、端子台本体や接続ユニットの形状、入力端子や迂回用出力端子の設置位置や数に係る構成等を、本発明の趣旨を逸脱しない範囲で、必要に応じて適宜変更することができる。
【００２６】
たとえば、上記実施形態では回路遮断器と商業電源との間に電流制限器を介在させるとしているが、介在させる機器は電流制限器に限定されず、開閉器等の他の機器であってもよい。
また、端子台本体２における取付部１８の位置や端子金具収納部１２の数や位置についても当然設計変更可能であるし、接続ユニット３の保持台２６の形状についても取付部１８の形状等に応じて適宜変更可能である。
さらに、接続ユニット３の端子台本体２への取り付けに関しても、上記実施形態の係止爪２１や係止テーパ部２２、係止突起２７等に何ら限定されることはなく、たとえば端子台本体２に接続ユニット３に設けた係止突起２７が係止可能な係止凹部を形成する等の構成を採用することも可能である。
【符号の説明】
【００２７】
１Ａ・・迂回用端子台、１Ｂ・・直結用端子台、２・・端子台本体、３・・接続ユニット、４・・短端子金具（第１端子金具）、５・・長端子金具（第２端子金具）、１１・・壁部、１２・・端子金具収納部、１３・・入力端子ネジ、１４・・迂回用出力端子ネジ、１５・・押し止め片、１６・・・収納凹部、１７・・一次送りバー、１８・・取付部、１９・・案内突起、２０・・支持突起、２１・・係止爪（係止部）、２２・・係止テーパ部（被係止部）、２５・・接続バー、２６・・保持台（被係止部）、２７・・係止突起（係止部）、２８・・迂回用入力端子ネジ、２９、４１、４２、５１、５２、５３・・ネジ孔、７１・・主幹ブレーカ（回路遮断器）、Ｐ・・入力端子、Ｌ・・迂回用出力端子、Ｓ・・迂回用入力端子、Ｔ・・出力部。
【図１】
0005468440.tif 000002
【図２】
0005468440.tif 000003
【図３】
0005468440.tif 000004
【図４】
0005468440.tif 000005
【図５】
0005468440.tif 000006
【図６】
0005468440.tif 000007
【図７】
0005468440.tif 000008
【図８】
0005468440.tif 000009
【図９】
0005468440.tif 000010
【図１０】
0005468440.tif 000011
【図１１】
0005468440.tif 000012
【図１２】
0005468440.tif 000013
【図１３】
0005468440.tif 000014
【図１４】
0005468440.tif 000015